(57)【要約】本発明は、容器、とりわけ、飲料缶の蓋（１００）に関し、前記蓋（１００）は、ほぼ平らな蓋面（１０１）と、好ましくは折り畳まれた縁部領域（１０２）と、蓋面（１０１）に設けられた少なくとも１つの注ぎ開口部（１０３）を含み、前記蓋（１００）は、少なくとも１つの密封要素（１２０）によって、気密および／または液密手法で密封可能であり、密封要素（１２０）は、作動要素（１１０）によって密封位置から開放位置へと移動可能であり、作動要素（１１０）は、固定要素（１１１）および摺動要素（１１３）を含み、固定要素（１１１）は、初めて開く前に、少なくとも１つのあらかじめ決められた限界点を介して少なくとも１つの接続要素（１１５）に接続され、固定要素（１１１）は、固定要素（１１１）を密封位置から開放位置まで移動させた後に少なくとも１つの縁部（１１４ａ）によって少なくとも１つのあらかじめ決められた限界点に作用するハンドル（１１４）を有する。【選択図】図４
2013539442.tif 000002
【特許請求の範囲】
【請求項１】
容器、とりわけ、飲料缶の蓋（１００）であって、
前記蓋（１００）は、ほぼ平らな蓋面（１０１）と、好ましくは折り畳まれた縁部領域（１０２）と、蓋面（１０１）に設けられた少なくとも１つの注ぎ開口部（１０３）を含み、前記蓋（１００）は、容器内部に面する蓋面（１０１）の底面領域に配された少なくとも１つの密封要素（１２０）によって、気密および／または液密手法で密封可能であり、密封要素（１２０）は、作動要素（１１０）によって密封位置から開放位置へと、かつ、開放位置から密封位置へと移動可能であり、作動要素（１１０）は、固定要素（１１１）および摺動要素（１１３）を含み、固定要素（１１１）は、初めて開く前に、少なくとも１つのあらかじめ決められた限界点を介して少なくとも１つの接続要素（１１５）に接続され、
固定要素（１１１）は、固定要素（１１１）を密封位置から開放位置まで移動させた後に少なくとも１つの縁部（１１４ａ）によって少なくとも１つのあらかじめ決められた限界点に作用するハンドル（１１４）を有する、蓋（１００）。
【請求項２】
固定要素（１１１）は、蓋面（１０１）にほぼ平行に配置された面から枢動可能である、請求項１に記載の蓋（１００）。
【請求項３】
固定要素（１１１）は、摺動要素（１１３）と取り外しできないように連結式に連通している（１１２）、請求項１または２に記載の蓋（１００）。
【請求項４】
連結式の接続部（１１２）は、フィルムヒンジとして構成される、請求項３に記載の蓋（１００）。
【請求項５】
少なくとも１つの接続要素（１１５）は蓋面に配置される、請求項１乃至４のいずれか１つに記載の蓋（１００）。
【請求項６】
ハンドル（１１４）はＴ字形またはＹ字形である、請求項１乃至５のいずれか１つに記載の蓋（１００）。
【請求項７】
固定要素（１１１）および／または摺動要素（１１３）の開口位置への移動後に露出される圧力補償開口部（１２１）が設けられる、請求項１乃至６のいずれか１つに記載の蓋（１００）。
【請求項８】
密封手段、とりわけ、ピン（１１１ａ）は固定要素（１１１）上に配置され、固定要素が密封位置にある際に、圧力補償開口部（１２１）に係合する、請求項７に記載の蓋（１００）。
【請求項９】
少なくとも１つの作動要素（１１０）は、ほぼ直線状にかつ蓋（１００）と平行に動かすことができる、請求項１乃至８のいずれか１つに記載の蓋（１００）。
【発明の詳細な説明】
【技術分野】
【０００１】
本発明は、容器、とりわけ、飲料缶の蓋に関し、該蓋は、ほぼ平らな蓋面と、好ましくは折り畳まれた縁部領域と、蓋面に設けられた少なくとも１つの注ぎ開口部を含み、該蓋は、少なくとも１つの密封要素によって、気密および／または液密手法で密封可能であり、密封要素は、作動要素によって密封位置から開放位置へと移動可能であり、作動要素は、固定要素および摺動要素を含み、固定要素は、初めて開く前に、少なくとも１つのあらかじめ決められた限界点を介して少なくとも１つの接続要素に接続される。
【背景技術】
【０００２】
再密封可能な注ぎ開口部を有する多くの飲料缶が知られるようになった。特許文献１は、例えば、既存の蓋に適用されるほぼ同じ直径の密封手段を開示しており、該密封手段は、ねじられることによって蓋に配置された注ぎ開口部を密封する。これらの密封手段のいくつかが蓋を覆う同様の装置は、特許文献２、特許文献３、特許文献４、または、特許文献５に一部記載されているだけである。これらの密封手段での不利な態様は、缶の蓋領域に対する構造的な変更をさらに必要とする、ほとんどが複雑なその配置である。
【０００３】
飲料缶の密封手段のさらなる群は、缶の蓋へのリベット接続によって固定されるプルタブからなり、このプルタブのハンドル部分は、注ぎ開口部のための密封手段として同時に配され、注ぎ開口部の開口後、プルタブをねじることおよび／または折り畳むことによって注ぎ開口部を再度閉じる。上記のような要素は、数ある中でも特に、特許文献６、特許文献７、特許文献８、特許文献９、および、特許文献１０で示されている。これらの飲料缶はすべて、外部から注ぎ開口部まで適用されるとともに蓋縁部を超えて部分的に突出する密封手段を有しているため、その結果、密封手段は不注意で外されたり、缶の中身が周囲環境に露出されたりすることがある。
【０００４】
特許文献１１は、先に述べた種類の飲料缶用の密封装置について最後に記載しており、そのなかで、飲用開口部を露出させるとともに該開口部を再度密封するために、固定および摺動要素を有する作動要素が設けられる。この装置の不利な態様は、その複雑な構造と、初めて開けた後の実際問題として、とりわけ、長期間には不十分な気密である。一見したところ、飲料缶が既に一度開かれたかどうかはユーザーには等しくほとんどわからない。
【先行技術文献】
【特許文献】
【０００５】
【特許文献１】ＤＥ１９６  １３  ２４６  Ａ１
【特許文献２】ＤＥ１９６  １３  ２５６  Ｂ４
【特許文献３】ＤＥ１９７  ０６  １１２  Ｃ２
【特許文献４】ＥＰ１  ２４７  ７５２  Ｂ１
【特許文献５】米国６，６２６，３１４  Ｂ１
【特許文献６】ＤＥ１９７  ４６  ５３９  Ａ１
【特許文献７】ＤＥ２０３  １９  １０５  Ｕ１
【特許文献８】ＥＰ１  １９０  ９５２  Ａ２
【特許文献９】ＥＰ１  ０９７  ０８６  Ｂ１
【特許文献１０】ＥＰ０  ４３３  ５０２  Ａ１
【特許文献１１】ＥＰ１  ７９６  ９７４  Ｂ１
【発明の概要】
【発明が解決しようとする課題】
【０００６】
したがって、操作しやすく、再密封後に高い気密を有し、さらに、不正開封の跡がすぐ分かる密封部として機能する、容器のための再密封可能な蓋を提供することが本発明の目的である。
【課題を解決するための手段】
【０００７】
この目的は、固定要素が、固定要素を密封位置から開放位置まで移動させた後に少なくとも１つの縁部によって少なくとも１つのあらかじめ決められた限界点に作用するハンドルを有するように、上記のような種類の蓋によって、本発明に従って達成される。ハンドルは、飲料缶の直感的な（ｉｎｔｕｉｔｉｖｅ）な操作を可能にし、この開口は、ハンドルの縁部効果の結果として力をほとんど使うことなく達成される。
【０００８】
この目的のために、固定要素は、蓋面にほぼ平行に配置された面から枢動可能であり、それによって、レバー力は、ハンドルの少なくとも１つの縁部によって、少なくとも１つのあらかじめ決められた限界点に直接的または間接的に作用する。
【０００９】
本発明の好ましい変形では、固定要素は、摺動要素と取り外しできないように連結式に連通しており、それは好ましくはフィルムヒンジ（ｆｉｌｍ  ｈｉｎｇｅ）として構成される。その上部に配置されたハンドルを備える固定要素は、作動要素の密封位置で摺動要素を固定するために用いられ、その一方で、摺動要素は、密封要素に接続され、摺動要素によって作動要素を動かした後、注ぎ開口部が露出される。
【００１０】
加えて、少なくとも１つの接続要素は、不正開封の跡がすぐ分かる密封の部品として機能するために、鏡面に配置されるのが好ましい。
【００１１】
本発明のさらなる実施形態では、ハンドルはＴ字形またはＹ字形であり、それによって、とりわけ、固定要素の容易な操作が可能になる。
【００１２】
本発明の特に好ましい実施形態では、圧力補償開口部が設けられ、該圧力補償開口部は、固定要素および／または摺動要素の開口位置への移動後に露出される。この圧力補償開口部は、缶を開口しやすくするために、および、缶の中身が噴き出すのを防ぎやすくするために、注ぎ開口部の開口前またはその最中に、缶内部の圧力補償を可能にする役目を果たす。
【００１３】
容器を再密封する際に気密および液密の手法で、この圧力補償開口部を密封するために、本発明のさらに好ましい実施形態では、密封要素、とりわけ、ピンが固定要素上に設けられ、これが、固定要素が密封位置に位置付けられると、圧力補償開口部に係合する。
【００１４】
少なくとも１つの作動要素をほぼ直線状にかつ蓋と平行に動かすことができる場合、本発明に従った種類の特に緊密な密封デバイスが達成される。
【００１５】
本発明は、関連する図１乃至６ａを含む非限定的な実施形態を参照することによって、ここでさらに詳細に説明される。
【図面の簡単な説明】
【００１６】
【図１】図１、１ａ、１ｂは、ほとんど平らな蓋面（１０１）と、初めて開口する前の密封状態にあるフランジ状の縁部（１０２）とを有する、本発明に従った蓋（１００）を示す。  蓋（１００）は、連結された接続部（１１２）によって、例えば、摺動要素（１１３）に対するフィルムヒンジによって接続された、固定要素（１１１）を含むほぼ２つの部分の作動要素（１１０）を有する。ハンドル（１１４）が固定要素（１１１）内にさらに設けられ、該ハンドルは、本発明のこの変形でほぼＹ字形となるように構成される。作動手段（１１０）は密封要素（１２０）に接続され、該密封要素（１２０）は、密封位置で、容器、特に飲料缶の注ぎ開口部（１０３）を密封する。圧力補償開口部（１２１）は、密封要素（１２０）に設けられ、この開口によって、飲料缶の内部にしばしば存在する過剰な圧力を、注ぎ開口部が露出される前に、逃すことができる。それによって、飲料缶から液体が噴き出るのを防ぎ、缶の実際の開口がより容易になる。固定要素（１１１）上に配置されたピン（１１１ａ）は、ここで圧力補償開口部（１２１）に突出し、ピン（１１１ａ）は、作動手段（１１０）の密封位置で、気密および液密の手法で圧力補償開口部（１２１）を密封する。
【図１ａ】図１、１ａ、１ｂは、ほとんど平らな蓋面（１０１）と、初めて開口する前の密封状態にあるフランジ状の縁部（１０２）とを有する、本発明に従った蓋（１００）を示す。  蓋（１００）は、連結された接続部（１１２）によって、例えば、摺動要素（１１３）に対するフィルムヒンジによって接続された、固定要素（１１１）を含むほぼ２つの部分の作動要素（１１０）を有する。ハンドル（１１４）が固定要素（１１１）内にさらに設けられ、該ハンドルは、本発明のこの変形でほぼＹ字形となるように構成される。作動手段（１１０）は密封要素（１２０）に接続され、該密封要素（１２０）は、密封位置で、容器、特に飲料缶の注ぎ開口部（１０３）を密封する。圧力補償開口部（１２１）は、密封要素（１２０）に設けられ、この開口によって、飲料缶の内部にしばしば存在する過剰な圧力を、注ぎ開口部が露出される前に、逃すことができる。それによって、飲料缶から液体が噴き出るのを防ぎ、缶の実際の開口がより容易になる。固定要素（１１１）上に配置されたピン（１１１ａ）は、ここで圧力補償開口部（１２１）に突出し、ピン（１１１ａ）は、作動手段（１１０）の密封位置で、気密および液密の手法で圧力補償開口部（１２１）を密封する。
【図１ｂ】図１、１ａ、１ｂは、ほとんど平らな蓋面（１０１）と、初めて開口する前の密封状態にあるフランジ状の縁部（１０２）とを有する、本発明に従った蓋（１００）を示す。  蓋（１００）は、連結された接続部（１１２）によって、例えば、摺動要素（１１３）に対するフィルムヒンジによって接続された、固定要素（１１１）を含むほぼ２つの部分の作動要素（１１０）を有する。ハンドル（１１４）が固定要素（１１１）内にさらに設けられ、該ハンドルは、本発明のこの変形でほぼＹ字形となるように構成される。作動手段（１１０）は密封要素（１２０）に接続され、該密封要素（１２０）は、密封位置で、容器、特に飲料缶の注ぎ開口部（１０３）を密封する。圧力補償開口部（１２１）は、密封要素（１２０）に設けられ、この開口によって、飲料缶の内部にしばしば存在する過剰な圧力を、注ぎ開口部が露出される前に、逃すことができる。それによって、飲料缶から液体が噴き出るのを防ぎ、缶の実際の開口がより容易になる。固定要素（１１１）上に配置されたピン（１１１ａ）は、ここで圧力補償開口部（１２１）に突出し、ピン（１１１ａ）は、作動手段（１１０）の密封位置で、気密および液密の手法で圧力補償開口部（１２１）を密封する。
【図２】ハンドル（１１４）を上げることによって（図２）、ハンドル（１１４）は、１つ以上のあらかじめ決められた限界点を介して接続されていた２つの接続要素（１１５）から分離される。接続要素（１１５）の主たる機能は、組み立て中に、蓋面（１０１）に飲料缶の密封を固定することにある。これを行う際、ハンドル（１１４）の狭い縁部（１１４ａ）は、ハンドル（１１４）のレバー作用のための接触面として機能し、それによって、たんに引張力がハンドル（１１４）を介して加えられていた場合よりも、もっと大きな力が、通常はすぐ近くにある少なくとも１つのあらかじめ決められた限界点に作用する。
【図３】ハンドルのほぼ引っ張り開口によって、さらなる工程では、固定要素（１１１）が持ち上げられ、接続要素（１１５）から完全に分離され、ピン（１１１ａ）は、圧力補償開口部（１２１）から同時に引き抜かれ、圧力の均等化が行われる（図３および３ａ）。
【図３ａ】ハンドルのほぼ引っ張り開口によって、さらなる工程では、固定要素（１１１）が持ち上げられ、接続要素（１１５）から完全に分離され、ピン（１１１ａ）は、圧力補償開口部（１２１）から同時に引き抜かれ、圧力の均等化が行われる（図３および３ａ）。
【図４】引っ張り移動が完了するとすぐに、ハンドル（１１４）は固定要素（１１１）の内部に再び配置され、摺動要素（１１３）は、飲用開口部（１０３）を露出させるために、ここで接続要素（１１５）の方向に動かすことができる（図４、４ａ、および、５）。  作動要素（１１０）の移動を介して、密封要素（１２０）は缶の内部へと枢動され、注ぎ開口部（１０３）が露出される。
【図４ａ】引っ張り移動が完了するとすぐに、ハンドル（１１４）は固定要素（１１１）の内部に再び配置され、摺動要素（１１３）は、飲用開口部（１０３）を露出させるために、ここで接続要素（１１５）の方向に動かすことができる（図４、４ａ、および、５）。  作動要素（１１０）の移動を介して、密封要素（１２０）は缶の内部へと枢動され、注ぎ開口部（１０３）が露出される。
【図５】引っ張り移動が完了するとすぐに、ハンドル（１１４）は固定要素（１１１）の内部に再び配置され、摺動要素（１１３）は、飲用開口部（１０３）を露出させるために、ここで接続要素（１１５）の方向に動かすことができる（図４、４ａ、および、５）。  作動要素（１１０）の移動を介して、密封要素（１２０）は缶の内部へと枢動され、注ぎ開口部（１０３）が露出される。
【図６】再密封のために、作動要素（１１０）は、もとの位置へと押し戻され、それによって、密封要素（１２０）は、蓋面（１１０）と平行に再度配され、圧力補償開口部（１２１）をさらに囲む周辺の密閉部（１３０）の結果として、密封要素（１２０）は気密および液密の手法で注ぎ開口部（１０３）を密封する（図６および６ａ）。
【図６ａ】再密封のために、作動要素（１１０）は、もとの位置へと押し戻され、それによって、密封要素（１２０）は、蓋面（１１０）と平行に再度配され、圧力補償開口部（１２１）をさらに囲む周辺の密閉部（１３０）の結果として、密封要素（１２０）は気密および液密の手法で注ぎ開口部（１０３）を密封する（図６および６ａ）。
【発明を実施するための形態】
【００１７】
同様に、ピン（１１１ａ）は、固定要素（１１１）を下げることによって圧力補償開口部（１２１）内に再度配され、その結果、これは、外部に向かって気密および液密の手法で密封される。ハンドル（１１４）と固定要素（１１１）の間の結合部分（１１６）が、薄い材料で作られているため、ハンドル（１１４）の最初の作動後、とりわけ、あらかじめ決められた限界点を引きちぎった後（ｕｐｏｎ  ｔｅａｒｉｎｇ）、この接続部分（１１６）は伸ばされ、その結果、飲料缶の再密封後、この部分は、明らかに、接続要素（１１５）のまわりで正確に適合するようにはもはや配置されることはできなくなる。その結果、ハンドル（１１４）は、蓋面（１０１）上では完全に平らにもはや置かれなくなることが、特に図６ａで明らかである。したがって、飲料缶が既に一度開けられたことをすぐに識別することができる。
【００１８】
意図せずに固定要素（１１１）を持ち上げることができず、かつ、それによって、圧力補償開口部（１２１）を露出させることなく、固定要素（１１１）を密封位置で保持するために、例えば、密封要素（１２０）の対応する凹部に係合し、（固定要素（１１１）の枢動を可能にするラッチピンが設けられ、したがって、飲料缶の開口は特定の力がかけられた場合にだけ行われることができる。ラッチピンは、例えば、係合が、飲料缶が規定通りに（再）密封されたことをユーザーに知らせる、はっきりと聞こえる音を引き起こすようなやり方で、構成され得る。
【００１９】
上に記載されているような本発明の実施形態は、非限定的な手法で理解されるものとする。したがって、本発明に応じた密封装置も、１以上の圧力補償開口部を備えて、または、備えずに構成され得る。同じように、ハンドルが、少なくとも１つのあらかじめ決められた限界点に十分に強い力を、とりわけ、直接的または間接的なレバー作用をかけ、かつ、ユーザーが掴みやすいものである限り、ハンドルの形状には制限はない。
【図１】
2013539442.tif 000003
【図１ａ】
2013539442.tif 000004
【図１ｂ】
2013539442.tif 000005
【図２】
2013539442.tif 000006
【図３】
2013539442.tif 000007
【図３ａ】
2013539442.tif 000008
【図４】
2013539442.tif 000009
【図４ａ】
2013539442.tif 000010
【図５】
2013539442.tif 000011
【図６】
2013539442.tif 000012
【図６ａ】
2013539442.tif 000013
【国際調査報告】
2013539442.tif 000014
2013539442.tif 000015
2013539442.tif 000016